(57)【特許請求の範囲】
【請求項１】
高圧気体を岩盤内に貯蔵するトンネル型の岩盤内高圧貯蔵施設であって、
岩盤に掘削された坑の側壁と切羽、および坑口側に貯蔵空間を形成するライニングが配置され、該ライニングの周囲に坑道との間隙を埋めるように裏込めコンクリートが打設充填され、裏込めコンクリートの坑口側には前記岩盤内高圧貯蔵施設の内圧を抑えるための鉄筋コンクリート造のプラグが配設されており、
前記裏込めコンクリートと前記プラグとの間には、プラグを構成する鉄筋コンクリートよりも剛性の低い縁切り材が配設されて裏込めコンクリートとプラグの双方が縁切りされていることを特徴とする岩盤内高圧貯蔵施設。
【請求項２】
請求項１に記載された岩盤内高圧貯蔵施設において、
前記縁切り材として金属板を使用することを特徴とする岩盤内高圧貯蔵施設。
【発明の詳細な説明】
【０００１】
【発明の属する技術分野】
本発明は、高圧気体を岩盤内に貯蔵する岩盤内高圧貯蔵施設に関する。
【０００２】
【従来の技術】
岩盤内高圧貯蔵施設（以下、単に貯蔵施設と称する）は、高圧気体（空気、天然ガス、プロパン、ブタン、水素、ヘリウム等）を岩盤内に貯蔵することを目的とした施設である。この貯蔵施設の形態としては、略球状のサイロ型のもの、寝かせた円筒形状のトンネル型のもの等がある。このうち、トンネル型の貯蔵施設は、トンネルを構築する要領で岩盤に掘削された坑の内部に設けられ、坑内の側壁と切羽、および坑口側に打設された裏込めコンクリートの内側に鋼板製のライニングが貼設されて構築されている。
【０００３】
このトンネル型の貯蔵施設の施工に際しては、切羽側に設置される切羽ライニングに続いて円筒形の側壁ライニングを坑内に搬入し、ライニングまわりの間隙に裏込めコンクリートを打設し、切羽ライニングと側壁ライニング、および坑口側から遅れて搬入される坑口ライニングとを溶接し、各溶接部の気密性が確保されているかを検査したうえで、坑口側にさらに裏込めコンクリートを打設する。
【０００４】
ライニングの施工後、裏込めコンクリートのさらに坑口側には貯蔵施設の内圧を抑える目的で坑口を塞ぐ鉄筋コンクリート造のプラグを配設する。このプラグには裏込めコンクリートを介して貯蔵施設内の圧力が常時作用するため、圧力に対抗し得るようにプラグを大型化して強度をもたせる傾向が強いが、施工に要する費用の削減と工期の短縮を実現するために、経済的で合理的な設計が求められている。
【０００５】
【発明が解決しようとする課題】
そこで、貯蔵施設の設計にダムの閉塞トンネルの設計方法を採用すると、プラグが長大な大きさとなり施工上の経済性、合理性を追及する意味がなくなってしまう。そのため、プラグを形成するコンクリートの強度および周辺の岩盤の支持力を利用した設計が必要となる。
【０００６】
有限要素法により貯蔵施設の応力・変形解析を行うと、裏込めコンクリートおよびプラグには、ライニングに膨張方向に向けて大きな引張り応力が生じることがわかる。ここで、裏込めコンクリートは設計の思想として引張り応力の発生に伴ってクラックを発生させることを許容している。これに対して、プラグは引張り応力を鉄筋で荷重分担させることを前提に設計されている。このため、裏込めコンクリートからプラグに過度の引張り応力が作用した場合、それによってプラグ内に局所的に大きなクラックが発生する恐れがあり、このプラグ内に発生するクラックが、岩盤内高圧貯蔵施設の高圧の耐荷構造物としての健全性を損う原因となると考えられる。
【０００７】
本発明は上記の事情に鑑みてなされたものであり、プラグにクラックが発生することを防止し、高圧の耐荷構造物として高い健全性を備える岩盤内高圧貯蔵施設を提供することを目的としている。
【０００８】
【課題を解決するための手段】
上記の課題を解決するための手段として、裏込めコンクリートとプラグとの間に挟まれるようにして、プラグを構成する鉄筋コンクリートよりも剛性の低い縁切り材を配設する。
このように縁切り材を配設することで、裏込めコンクリートからプラグに向けて圧縮応力のみが伝達され、引張り応力は縁切り材で吸収されてクラックの進展が縁切り材の手前までに留められる。
【０００９】
なお、縁切り材の材料としては、トンネル等に使用される防水シートやナイロンシート等の繊維材料が考えられるが、貯蔵施設のライニングの材料と同じ肉薄の鋼板やステンレススチールといった金属板を使用することも可能である。
縁切り材にライニングと同様の金属板を使用することで、貯蔵施設から漏気が発生しても、縁切り材が２次シール機構として作用して坑道への高圧気体の流出が防止される。
【００１０】
【発明の実施の形態】
本発明に係る岩盤内高圧貯蔵施設の一実施形態を図１および図２に示して説明する。
図１に示す岩盤内高圧貯蔵施設（以下、単に貯蔵施設と称する）１は、寝かせた円筒形状を有するいわゆるトンネル型であり、岩盤に設けられた坑道２内に構築されている。
【００１１】
坑道２内には側壁に沿って円筒形の側壁ライニング３が配置され、坑道２の切羽、および坑口側に切羽ライニング４、坑口ライニング５が配置され、さらにこれら各ライニング３、４、５の周囲には坑道２との間隙を埋めるように裏込めコンクリート６が打設充填されている。
【００１２】
坑口ライニング５の周囲に打設された裏込めコンクリート６のさらに坑口側に位置して坑道２内に露出する側面７は、坑道２の断面方向にほぼ平行に形成され、その中央付近には貯蔵施設内部への高圧気体の出し入れを行うための給排気設備（図示せず）を通す開口８が設けられている。
【００１３】
さらに坑道２内には、貯蔵施設１の内圧を抑えるプラグ９が裏込めコンクリート６の側面７に密接して設置されている。このプラグ９は鉄筋コンクリート構造によって構築されており、貯蔵施設１の内圧に耐え得る強度が与えられている。
【００１４】
プラグ９が設置される部分の坑道２は径が拡大されて外方に向けて膨出した空間となっており、この部分にプラグ９が側壁との間に間隙を設けず構築されることで、貯蔵施設１の内圧を抑える閉塞栓として機能している。また、プラグ９には、開口８に連通して給排気設備を通すアクセストンネル１１が設けられている。
【００１５】
裏込めコンクリート６とプラグ９との間には、裏込めコンクリート６の側面７に沿うように縁切り材１０が配設されている。縁切り材１０は、坑口ライニング５等と同じ薄肉の鋼板もしくはステンレススチールでできており、その素材にはプラグ９を形成する鉄筋コンクリートと比べて剛性が非常に低い薄肉の鋼板もしくはステンレススチールが使用されている。
【００１６】
上記のように構成されている貯蔵施設１において、図２に示すように貯蔵施設に高圧気体が満たされた状態では、プラグ９に裏込めコンクリート６を介して貯蔵施設内の圧力が常時作用している。
【００１７】
裏込めコンクリート６には、貯蔵された高圧気体の圧力で各ライニング３、４、５が膨張方向に変形することによって圧縮応力と引張り応力とが作用し、特に引張り応力が作用することによってクラックを生じる。しかしながら、裏込めコンクリート６は引張り応力の発生に伴ってクラックを発生させることを許容して設計がなされており、クラックは当初から考慮されたものであるので問題とはならない。
【００１８】
プラグ９には、裏込めコンクリート６がクラックを生じることで圧縮応力と引張り応力とが伝達されるが、裏込めコンクリート６とプラグ９とは鉄筋コンクリートより剛性の低い縁切り材１０によって縁切りされているので、圧縮応力はプラグ９に伝達されるものの、引張り応力はこの縁切り材１０に吸収されてしまうためプラグ９には伝達されず、裏込めコンクリート６に生じたクラックの進展は縁切り材９の手前までに留められる。
【００１９】
上記のように構成された貯蔵施設１では、裏込めコンクリート６からプラグ９に向けて伝達される引張り応力が縁切り材１０に吸収され、裏込めコンクリート６に生じたクラックの進展が縁切り材１０の手前までに留められるので、プラグ９にクラックが生じずプラグ９の強度低下が防止され、これによって貯蔵施設の高圧の耐荷構造物としての健全性を保つことができる。
【００２０】
また、縁切り材１０に、坑口ライニング５等と同じ薄肉の鋼板もしくはステンレススチールといった金属板を使用することで、貯蔵施設１から漏気が発生しても、この縁切り材１０が２次シール機構として作用して坑道２への高圧気体の流出が防止され、これによって貯蔵施設１の安全性を保つことができる。
【００２１】
なお、本実施形態においては縁切り材１０に薄肉の鋼板もしくはステンレススチールを使用しているが、これらにかえてトンネル等の施工に用いられる防水シートやナイロンシート等の繊維材料を使用しても構わない。
【００２２】
【発明の効果】
以上説明したように、本発明に係る岩盤内高圧貯蔵施設によれば、裏込めコンクリートとプラグとの間に挟まれるようにして、プラグを構成する鉄筋コンクリートよりも剛性の低い縁切り材を配設したことにより、裏込めコンクリートからプラグに向けて伝達される引張り応力が縁切り材に吸収され、裏込めコンクリートに生じたクラックの進展が縁切り材の手前までに留められるので、プラグにクラックが生じて強度が低下することが防止され、これによって貯蔵施設の高圧の耐荷構造物としての健全性を保つことができる。
【００２３】
また、本発明に係る岩盤内高圧貯蔵施設によれば、縁切り材に金属板を使用することで、貯蔵施設から漏気が発生しても、この縁切り材が２次シール機構として作用して坑道への高圧気体の流出を防止し、貯蔵施設の安全性を保つことができる。
【図面の簡単な説明】
【図１】  本発明に係る岩盤内高圧貯蔵施設の一実施形態を示す立断面図である。
【図２】  図１に示した岩盤内高圧貯蔵施設にクラックが生じる様子を示す要部断面図である。
【符号の説明】
１  岩盤内高圧貯蔵施設
２  坑道
３  側壁ライニング
４  切羽ライニング
５  坑口ライニング
６  裏込めコンクリート
９  プラグ
１０  縁切り材
【図１】
0003740589.tif 000002
【図２】
0003740589.tif 000003